(57)【要約】【課題】リバーシブルカーテン等に取り付けて使用した際に、カーテンを表裏いずれの面を室内に向けて使用した場合でも、カーテンに取り付けられたフックにより見栄えが損なわれることのないカーテン用フックを提供する。【解決手段】カーテン用フック１は、線材が曲げられて略２つ折り状に形成され、上方側が開口されてなる第１支持部２と、略下方に向けて開口する第１凹部１３を有したフック部３と、略上方に向けて開口する第２凹部１４を有した第２支持部４と、を備え、第１支持部２の２つ折り状の対向する線材同士が離間して配置され、第２支持部４における第２凹部１４の最下位置より第１支持部２側の領域に、前記最下位置より上方に突出する上方突出部７が形成された構成とする。【選択図】図１
2015002886.tif 000002
【特許請求の範囲】
【請求項１】
線材がその長さ方向の中間部で曲がって略２つ折り状に形成され、上方側が開口されてなる第１支持部と、
前記第１支持部を構成する前記線材の一端から延ばされた線材の少なくとも一部が曲がった態様に形成され、略下方に向けて開口する第１凹部を有したフック部と、
前記第１支持部を構成する前記線材の他端から延ばされた線材の少なくとも一部が曲がった態様に形成され、略上方に向けて開口する第２凹部を有した第２支持部と、を備え、
前記第１支持部の２つ折り状の対向する線材同士が離間して配置され、
前記第２支持部における前記第２凹部の最下位置より前記第１支持部側の領域に、前記最下位置より上方に突出する上方突出部が形成されていることを特徴とするカーテン用フック。
【請求項２】
前記フック部の最上位置は、前記第１支持部の略上方位置にある請求項１に記載のカーテン用フック。
【請求項３】
前記線材は、金属製線状部材で形成されている請求項１または２に記載のカーテン用フック。
【請求項４】
前記線材は、樹脂製線状部材で形成されている請求項１または２に記載のカーテン用フック。
【請求項５】
請求項１〜４のいずれか１項に記載のカーテン用フックと、
カーテン本体部の上端部にひだ部が設けられてなるカーテンであって前記ひだ部の背面側にフック挿入口が設けられてなるカーテンと、を備えたフック付カーテンであって、
前記カーテン用フックの第１支持部及びフック部が、前記フック挿入口を介して前記カーテンのひだ部とカーテン本体部の間に挿入配置されると共に、前記カーテンにおけるフック挿入口の上縁を形成する部分が、前記カーテン用フックの第２支持部の第２凹部で支持された状態で、前記カーテン用フックのフック部が、カーテンレールのランナーに係止されて使用されるものであることを特徴とするフック付カーテン。
【発明の詳細な説明】
【技術分野】
【０００１】
本発明は、例えば、リバーシブルカーテン用フックとして好適に用いられるカーテン用フックに関する。
【０００２】
なお、本明細書及び特許請求の範囲において、カーテン用フックに関して、「上方」の語は、カーテン用フックがカーテンレールに吊り下げられた状態（図８参照）を基準として、カーテン用フックの上方を意味し、「下方」の語は、カーテン用フックがカーテンレールに吊り下げられた状態（図８参照）を基準として、カーテン用フックの下方を意味するものとする。また、本明細書及び特許請求の範囲において、カーテン用フックに関して、「上」、「下」、「底」等の位置関係に関する語は、前記同様に、カーテン用フックがカーテンレールに吊り下げられた状態を基準として、指称したものである。
【背景技術】
【０００３】
カーテン用フックとしては、カーテン上縁に形成されたひだ部に取付けられるフックであって、金属線材の一端を略１８０度、折り返し部を湾曲膨出させた状態で折り返して、ひだ部の下端に形成された下端開口部に挿通される短尺棒片と、その短尺棒片より長く、ひだ部の上部に形成された上部開口部又は縫目と縫目との間に挿通される長尺棒片とを形成すると共に、長尺棒片の短尺棒片側とは反対側にランナーに掛止する掛止棒片を連設し、短尺棒片の略中間高さ部分を湾曲又は屈曲させることにより長尺棒片に近接させて近接部を形成し、長尺棒片の先端部分を短尺棒片側へ傾斜させて傾斜部としてなるカーテン用フックが公知である（特許文献１参照）。
【先行技術文献】
【特許文献】
【０００４】
【特許文献１】特開２０００−２２５０５３号公報
【発明の概要】
【発明が解決しようとする課題】
【０００５】
通常、カーテンには、表と裏が存在し、上記従来のカーテン用フックは、カーテンの裏面側（ひだ部が存在しない側）に取り付けて使用される（特許文献１の図３参照）。
【０００６】
ところで、本発明者は、リバーシブルのカーテン（表裏両面を使用できるカーテン）を新たに開発したが、このようなリバーシブルカーテンに上記従来構造のカーテン用フックを使用すると、表面を室内に向けて使用したときはフックは外観されないものの、カーテンを裏返して吊り下げて、裏面を室内に向けて使用したときはフックの殆どの部分が外観されるものとなり、非常に見栄えが悪くなるという問題があった。
【０００７】
本発明は、かかる技術的背景に鑑みてなされたものであって、リバーシブルカーテン等に取り付けて使用した際に、カーテンを表裏いずれの面を室内に向けて使用した場合でも、カーテンに取り付けられたフックにより見栄えが損なわれることのないカーテン用フックを提供することを目的とする。
【課題を解決するための手段】
【０００８】
前記目的を達成するために、本発明は以下の手段を提供する。
【０００９】
［１］線材がその長さ方向の中間部で曲がって略２つ折り状に形成され、上方側が開口されてなる第１支持部と、
前記第１支持部を構成する前記線材の一端から延ばされた線材の少なくとも一部が曲がった態様に形成され、略下方に向けて開口する第１凹部を有したフック部と、
前記第１支持部を構成する前記線材の他端から延ばされた線材の少なくとも一部が曲がった態様に形成され、略上方に向けて開口する第２凹部を有した第２支持部と、を備え、
前記第１支持部の２つ折り状の対向する線材同士が離間して配置され、
前記第２支持部における前記第２凹部の最下位置より前記第１支持部側の領域に、前記最下位置より上方に突出する上方突出部が形成されていることを特徴とするカーテン用フック。
【００１０】
［２］前記フック部の最上位置は、前記第１支持部の略上方位置にある前項１に記載のカーテン用フック。
【００１１】
［３］前記線材は、金属製線状部材で形成されている前項１または２に記載のカーテン用フック。
【００１２】
［４］前記線材は、樹脂製線状部材で形成されている前項１または２に記載のカーテン用フック。
【００１３】
［５］前項１〜４のいずれか１項に記載のカーテン用フックと、
カーテン本体部の上端部にひだ部が設けられてなるカーテンであって前記ひだ部の背面側にフック挿入口が設けられてなるカーテンと、を備えたフック付カーテンであって、
前記カーテン用フックの第１支持部及びフック部が、前記フック挿入口を介して前記カーテンのひだ部とカーテン本体部の間に挿入配置されると共に、前記カーテンにおけるフック挿入口の上縁を形成する部分が、前記カーテン用フックの第２支持部の第２凹部で支持された状態で、前記カーテン用フックのフック部が、カーテンレールのランナーに係止されて使用されるものであることを特徴とするフック付カーテン。
【発明の効果】
【００１４】
［１］の発明では、略下方に向けて開口する第１凹部を有したフック部を備えているから、このカーテン用フックをカーテンレールのランナーに係止することができる。また、線材がその長さ方向の中間部で曲がって略２つ折り状に形成され、上方側が開口されてなる第１支持部を備えていて、該第１支持部の２つ折り状の対向する線材同士が離間して配置されているから、このカーテン用フックを用いてカーテンを吊り下げる操作を行う途中において、フックの第１支持部における線材同士が離間した空間にカーテンの本体部の上縁部を収容することができて、カーテンを仮吊り下げ状態にすることができる。更に、略上方に向けて開口する第２凹部を有した第２支持部を備えているから、カーテンにおけるフック挿入口の上縁を形成する部分を、カーテン用フックの第２支持部の第２凹部で支持することで、このカーテン用フックでカーテンを支持することができる。この時、第２支持部における第２凹部の最下位置より第１支持部側の領域に、該最下位置より上方に突出する上方突出部が形成されているので、第２支持部の第２凹部で支持されたカーテン（フック挿入口の上縁を形成する部分）が第２支持部の第２凹部から脱落することを十分に防止することができる。
【００１５】
上記構成に係るカーテン用フックの第１支持部及びフック部を、フック挿入口を介してカーテンのひだ部とカーテン本体部の間に挿入配置すると共に、カーテンにおけるフック挿入口の上縁を形成する部分を、カーテン用フックの第２支持部の第２凹部で支持した状態で（第２凹部に係合せしめた状態で）、カーテン用フックのフック部を、カーテンレールのランナーに係止してカーテンを吊り下げることにより、カーテンを表裏いずれの面を室内に向けて吊り下げた場合でも、カーテンに取り付けられたフックにより見栄えが損なわれることがないという有利な効果を奏する。即ち、カーテンをひだ部が設けられた側の面を室内に向けてカーテンレールに吊り下げた場合は、カーテン用フックの全体が外観されないので、見栄えがよいし（図８参照）、カーテンをひだ部が設けられた側とは反対側の面を室内に向けてカーテンレールに吊り下げた場合は、カーテン用フックで外観されるのは、第２支持部の一部のみであるから、この場合にも、カーテンに取り付けられたフックにより見栄えが損なわれることがない（図８参照）。
【００１６】
［２］の発明では、フック部の最上位置は、第１支持部の略上方位置に存在するので、カーテンの吊り下げ完了状態において、カーテンの上端部が傾斜することがなく（図８参照）、カーテンの上端部をも含めて全体を鉛直下方に向けて真っ直ぐに吊り下げることができて、吊り下げ完了状態でのカーテンの外観美、見栄えをより向上させることができる。
【００１７】
［３］の発明では、線材は、金属製線状部材で形成されているから、カーテン用フックの強度を向上させることができるし、カーテン用フックの変形等も十分に防止できる。
【００１８】
［４］の発明では、線材は、樹脂製線状部材で形成されているから、カーテン用フックを成形型による樹脂成形等により生産性良く製作することができるし、コストも低減できる。
【００１９】
［５］の発明では、カーテンをひだ部が設けられた側の面を室内に向けてカーテンレールに吊り下げた場合は、カーテン用フックの全体が外観されないので、見栄えがよい（図８参照）。また、カーテンをひだ部が設けられた側とは反対側の面を室内に向けてカーテンレールに吊り下げた場合は、カーテン用フックの第１支持部及びフック部が、カーテンのひだ部とカーテン本体部の間に挿入配置されているので、カーテン用フックの第１支持部及びフック部は外観されることがなく、カーテン用フックで外観されるのは、第２支持部の一部のみであるから、この場合にも、カーテンに取り付けられたフックにより見栄えが損なわれることがない（図８参照）。従って、このフック付カーテンを用いれば、カーテンを表裏いずれの面を室内に向けて吊り下げた場合でも、カーテンに取り付けられたフックにより見栄えが損なわれることがない。
【図面の簡単な説明】
【００２０】
【図１】本発明に係るカーテン用フックの一実施形態を示す正面図である。
【図２】図１のカーテン用フックの斜視図である。
【図３】本発明のカーテン用フックをカーテンのフック挿入口に挿入する直前の状態を示す図であり、（Ａ）は斜視図、（Ｂ）は概略側面図である。
【図４】カーテン用フックのフック部の一部をカーテンのフック挿入口に挿入した状態を示す図であり、（Ａ）は斜視図、（Ｂ）は概略側面図である。
【図５】カーテンにおけるフック挿入口の上縁部分をカーテン用フックの第１支持部で支持すると共に、カーテン用フックのフック部をカーテンの上縁から上方に突出せしめて、カーテン用フックをカーテンに仮取付した状態を示す図であり、（Ａ）は斜視図、（Ｂ）は概略側面図である。
【図６】カーテンに仮取付したカーテン用フックのフック部をカーテンレールのランナーに係止した仮吊り下げ状態を示す図であり、（Ａ）は斜視図、（Ｂ）は概略側面図である。
【図７】図６の仮吊り下げ状態において、一方の手で第２支持部を持ち、他方の手でカーテンを持ちカーテンを引き上げることにより、カーテン用フックの第１支持部及びフック部をカーテンのひだ部とカーテン本体部の間に挿入配置しようとする状態を示す図であり、（Ａ）は斜視図、（Ｂ）は概略側面図である。
【図８】カーテン用フックの第１支持部及びフック部をカーテンのひだ部と本体部の間に挿入配置すると共に、カーテンにおけるフック挿入口の上縁を形成する部分をカーテン用フックの第２支持部で支持せしめた吊り下げ完了状態を示す図であり、（Ａ）は斜視図、（Ｂ）は概略側面図である。
【図９】カーテンを示す斜視図である。
【発明を実施するための形態】
【００２１】
本発明に係るカーテン用フック１の一実施形態を図１、２に示す。前記カーテン用フック１は、第１支持部２と、フック部３と、第２支持部４とを備えてなる。
【００２２】
前記第１支持部２は、金属線材を曲げて略Ｕ字状に形成された部分である。即ち、前記第１支持部２は、金属線材がその長さ方向の中間部で曲げられて略２つ折り状に形成されたものであり、上方側が開口された開口部１２を有する。前記第１支持部２の２つ折り状の対向する線材同士は離間して配置されている。本発明のフック１を用いてカーテン３１を仮吊り下げ状態にする際に、フック１の第１支持部２における前記線材同士が離間した空間にカーテン３１の本体部３２の上縁部が収容される（図６参照）。図１において、８は、第１支持部２の下端に形成された折り返し底部である。
【００２３】
前記フック部３は、前記第１支持部２を構成する前記線材の一端から延ばされた金属線材の少なくとも一部が外方側に曲げられて形成されたものであり、略下方に向けて開口する凹部１３を有する。前記フック部３は、前記第１支持部２を構成する前記金属線材の一端から略上方に向けて突設されている。
【００２４】
本実施形態では、前記フック部３は、前記第１支持部２を構成する前記金属線材の一端から延ばされた金属線材が内方側に（第１支持部２を構成する前記金属線材の他端側に）曲げられた後さらに外方側に（前記他端側とは反対側に向けて）曲げられて形成された略下方に向けて開口する第１凹部１３を有し、前記フック部３（第１凹部１３）の最上位置は、前記第１支持部２の上方位置にある（図１参照）。即ち、前記フック部３（第１凹部１３）の最上位置は、前記第１支持部２を構成する前記金属線材の一端から上に延ばした第１仮想線と、前記第１支持部２を構成する前記金属線材の他端から上に延ばした第２仮想線との間に存在している。
【００２５】
前記第２支持部４は、前記第１支持部２を構成する前記金属線材の他端から延ばされた金属線材の少なくとも一部が外方側の下方に向けて曲げられて脱落防止用上方突出部７が形成された後さらに上方側に向けて曲げられて形成されたものであり、略上方に向けて開口する第２凹部１４を有する。前記第２支持部４の最上位置は、前記フック部３の最上位置よりも下方位置にある。また、前記第２支持部４は、前記第１支持部２に対して外方側に形成されている。即ち、前記第１支持部２を構成する前記金属線材の他端から略水平方向の外方に向けて突設されている。
【００２６】
本発明のフック１を用いてカーテン３１の吊り下げを完了した状態において、カーテン３１におけるフック挿入口３４の上縁を形成する部分が、第２支持部４の第２凹部１４に挿入配置されて該第２支持部４で支持されるものとなる（図８参照）。
【００２７】
本実施形態では、前記第１支持部２、前記フック部３および前記第２支持部４が、略同一平面に存在する構成が採用されている（図１、２参照）。
【００２８】
次に、上記カーテン用フック１をカーテン３１に取り付ける方法の一例を説明する。本実施形態では、フック１の取り付け対象のカーテン３１は、リバーシブルカーテンであり、カーテン本体部３２の上端部の片面に複数個のひだ部３３が互いに間隔をあけて設けられてなる（図９参照）。また、前記カーテン３１におけるひだ部３３の背面側にフック挿入口３４が形成されている（図３参照）。
【００２９】
図３に示すように、カーテン用フック１の第２支持部４を一方の手の指で持ち、他方の手でカーテン３１における前記フック挿入口３４の近傍部を持つ。
【００３０】
次に、カーテン用フック１のフック部３の一部をカーテン３１のフック挿入口３４を介してカーテンのひだ部３３とカーテン本体部３２の間に挿入する（図４参照）。
【００３１】
しかる後、図４に示すように、フック部３を（黒矢印の方向に）押し下げてフック部３の全体をカーテンのひだ部３３と本体部３２の間に挿入せしめた後、カーテン用フック１を（白抜き矢印方向に）引き上げていくことによって、カーテンの本体部３２の上縁部を第１支持部２内の空間（２つ折り状の対向する線材同士が離間した空間）に収容して、カーテン３１におけるフック挿入口３４の上縁部分を第１支持部２の折り返し底部８で支持すると共に、フック部３をカーテン３１の上縁から上方に突出せしめて、カーテン用フック１をカーテン３１に仮取付する（図５参照）。
【００３２】
次に、カーテン３１に仮取付したカーテン用フック１のフック部３を、壁等に固定されているカーテンレール４０のランナー４１に取り付ける（引っ掛ける）ことによって、カーテン３１を仮吊り下げ状態にする（図６参照）。
【００３３】
次いで、図７に示すように、一方の手で第２支持部４を持ってカーテン用フック１をその位置で保持せしめた状態で、他方の手でカーテン３１におけるフック挿入口３４の近傍部を持ってカーテン３１を引き上げることにより、カーテン用フック１の第１支持部２及びフック部３をカーテン３１のひだ部３３とカーテン本体部３２の間に挿入配置すると共に、カーテン３１におけるフック挿入口３４の上縁を形成する部分を、カーテン用フック１の第２支持部４の第２凹部１４内に挿入配置して該第２支持部４で支持せしめて、カーテン３１の吊り下げ作業を完了する（図８参照）。
【００３４】
上記吊り下げ作業完了状態において、カーテン３１に対するカーテン用フック１の取り付け態様は、次のとおりである。カーテン用フック１の第１支持部２及びフック部３が、カーテン３１のひだ部３３とカーテン本体部３２の間に挿入配置され、カーテン３１におけるフック挿入口３４の上縁を形成する部分が、カーテン用フック１の第２支持部４の第２凹部１４で支持された状態のフック付きカーテンが構成されている。前記フック付きカーテンのフック部３が、カーテンレール４０のランナー４１に取り付けられることによって、前記フック付きカーテンが前記カーテンレール４０に吊り下げられている。
【００３５】
この時、第２支持部４における第２凹部１４の最下位置より第１支持部２側の領域に、該最下位置より上方に突出する上方突出部７が形成されているので、第２支持部４の第２凹部１４で支持されたカーテン（フック挿入口の上縁を形成する部分）が、第２支持部４の第２凹部１４から脱落することを十分に防止できる。
【００３６】
しかして、カーテン３１をひだ部３３が設けられた側の面を室内に向けてカーテンレール４０に吊り下げた場合は、図８に示すように、カーテン用フック１が外観されないので、見栄えがよい。また、カーテン３１をひだ部３３が設けられた側とは反対側の面を室内に向けてカーテンレール４０に吊り下げた場合は、図８に示すように、カーテン用フック１の第１支持部２及びフック部３は外観されることがなく、カーテン用フック１で外観されるのは、第２支持部４の一部のみであるから、この場合にも、カーテンに取り付けられたフック１により見栄えが損なわれることがない。
【００３７】
上記カーテン用フック１では、フック部３の最上位置は、第１支持部２の上方位置にあるので、上記カーテン３１の吊り下げ完了状態において、カーテン３１の上端部が傾斜することがなく、カーテン３１の上端部をも含めてカーテン全体を鉛直下方に向けて真っ直ぐに吊り下げることができて（図８（Ｂ）参照）、吊り下げ完了状態での外観美、見栄えをより向上させることができる。なお、フック部の最上位置が、第１支持部の略上方位置から（水平方向に）離れた位置に存在する場合には、カーテンの吊り下げ完了状態において、カーテンの上端部が傾斜しやすいものとなる。
【００３８】
更に、カーテン３１の吊り下げ完了状態において、カーテンレール４０のランナー４１をカーテン３１でほぼ隠すことができるので（図８参照）、吊り下げ完了状態での見栄えをより一層向上させることができる。
【００３９】
なお、前記カーテン用フック１の第２支持部４の最上位置は、前記フック部３の最上位置よりも下方位置にあるのが好ましく、この場合にはカーテン３１の吊り下げ完了状態においてフック１が外観される長さがより短くて済むので、見栄えをさらに向上させることができる利点がある（図８参照）。
【００４０】
前記リバーシブルカーテンとしては、特に限定されるものではないが、例えば、表裏両面で色が異なるリバーシブルカーテン、表裏両面で色は同様であるが表裏両面でデザインの異なるリバーシブルカーテン等が挙げられる。
【００４１】
前記実施形態では、カーテン３１の各ひだ部３３は、３つの山で１つのひだ部が構成されていたが（図９参照）、特にこのような構成に限定されるものではなく、２つの山で１つのひだ部が構成されていてもよいし、４つ以上の山で１つのひだ部が構成されていてもよい。
【００４２】
また、前記実施形態では、カーテン用フック１の第１支持部２の２つ折り状の対向する線材同士は、下端の湾曲状の折り返し底部８の両端からそれぞれ直線状に上方に延ばされて相互に平行状になるように構成されているが（図１参照）、特にこのような構成に限定されるものではなく、カーテン３１を仮吊り下げ状態にするときに、第１支持部２における前記線材同士が離間した空間に、カーテン本体部３２の上縁部を収容できる構成であればどのような構成であってもよい。
【００４３】
また、カーテン用フック１のフック部３の形状、第２支持部４の形状は、いずれも上記実施形態の形状に限定されるものではない。
【００４４】
また、前記実施形態では、カーテン用フック１を構成する線材としては、金属線材（金属製線状部材）が用いられていたが、カーテン用フック１を構成する線材の素材としては、特にこれに限定されるものではない。カーテン用フック１を構成する線材としては、例えば、樹脂製線状部材が用いられてもよい。
【００４５】
カーテン用フック１を構成する線材として金属線材が用いられる場合には、通常、準備された直線状の金属線材が曲げ加工等されることによって図１に示すような形状に成形されてカーテン用フック１が製作される。一方、カーテン用フック１を構成する線材として樹脂製線状部材が用いられる場合には、通常、所望のカーテン用フックに対応した成形空間（キャビティー等）を有した成形型を用いた樹脂成形等によりカーテン用フック１が製作される。
【００４６】
また、前記実施形態では、カーテン用フック１は、伸縮できるように構成されていないが、カーテン用フック１の少なくとも一部が伸縮可能なように構成されていてもよい。本願の特許請求の範囲に記載の発明は、このような伸縮可能に構成されたカーテン用フックも包含するものである。伸縮可能な構成としては、特に限定されるものではないが、例えば、第１支持部２における折り返し底部８とフック部３とを繋ぐ図１での左側の直線状に上方に延ばされた部分を、折り返し底部８に接合されたパイプ（管状部）と、フック部３に接合された棒状体（パイプ内に挿入可能なもの）とで形成し、前記パイプ内に前記棒状体が挿嵌された構成が挙げられる。必要に応じて、第１支持部２における前記パイプから前記棒状体を上方に引き出していく（伸ばしていく）ことにより、カーテン用フック１の上下方向でのサイズを大きくすることができるし、この状態から第１支持部２における前記パイプ内に前記棒状体を挿入していくことにより、カーテン用フック１の上下方向でのサイズを小さくすることができる。このように、カーテン用フック１は、上下方向にサイズを可変にできるように構成されていてもよい。
【００４７】
なお、上述したカーテン用フック１をカーテン３１に取り付ける方法は、その一例を示したものに過ぎず、特にこのような手順、方法に限定されるものではない。
【産業上の利用可能性】
【００４８】
本発明に係るカーテン用フックは、リバーシブルカーテンのフックとして好適に用いられるが、特にこのようなリバーシブルカーテン用に限定されるものではなく、リバーシブルでないカーテン用のフックとしても使用できる。
【符号の説明】
【００４９】
１…カーテン用フック
２…第１支持部
３…フック部
４…第２支持部
７…脱落防止用上方突出部
８…折り返し底部
１２…開口部
１３…第１凹部
１４…第２凹部
３１…カーテン
３２…カーテン本体部
３３…ひだ部
３４…フック挿入口
４０…カーテンレール
４１…ランナー
【図１】
2015002886.tif 000003
【図２】
2015002886.tif 000004
【図３】
2015002886.tif 000005
【図４】
2015002886.tif 000006
【図５】
2015002886.tif 000007
【図６】
2015002886.tif 000008
【図７】
2015002886.tif 000009
【図８】
2015002886.tif 000010
【図９】
2015002886.tif 000011